(57)【要約】      （修正有）【課題】手摺部を容易に設置することができる屋外構造物を提供する。【解決手段】屋外構造物は、開口部装置の屋外側に設けられ、上笠木と下笠木５０との間にフェンス材５２を設けた手摺部１６と、構造材である桁に対して下笠木５０を支持したブラケット４６とを備える。開口部装置は、桁の上面３４ａに取り付けられ、その外面に孔部が形成された枠材である下地枠６４を有し、ブラケット４６は、孔部に対して屋外側から挿入され、下地枠６４の内側で桁の上面３４ａに取り付けられた取付部５８と、孔部から屋外側へと突出し、下笠木５０が上から挿入された凹状の支持部６０とを有する。【選択図】図４
2020084570.tif 000002
【特許請求の範囲】
【請求項１】
構造材と、前記構造材の上面に設けられた開口部装置と、を備え、建物の外面から張り出すように設けられた屋外構造物であって、
前記開口部装置の屋外側に設けられ、上笠木と下笠木との間にフェンス材を設けた手摺部と、
前記構造材に対して前記下笠木を支持したブラケットと、
を備え、
前記開口部装置は、前記構造材の上面に取り付けられ、その外面に孔部が形成された枠材を有し、
前記ブラケットは、前記孔部に対して屋外側から挿入され、前記枠材の内側で前記構造材の上面に取り付けられた取付部と、前記孔部から屋外側へと突出し、前記下笠木が上から挿入された凹状の支持部とを有することを特徴とする屋外構造物。
【請求項２】
請求項１に記載の屋外構造物であって、
前記孔部は、水抜き穴であることを特徴とする屋外構造物。
【請求項３】
請求項１又は２に記載の屋外構造物であって、
前記枠材は、前記取付部の上方位置にヒレ部を有することを特徴とする屋外構造物。
【請求項４】
請求項１〜３のいずれか１項に記載の屋外構造物であって、
前記支持部の底面には、ブラケット側水抜き穴が形成されていることを特徴とする屋外構造物。
【請求項５】
請求項１〜４のいずれか１項に記載の屋外構造物であって、
前記開口部装置は、障子を開閉可能に支持した開口枠を有し、
前記枠材は、前記開口枠の下枠と前記構造材の上面との間を連結する下地枠であることを特徴とする屋外構造物。
【発明の詳細な説明】
【技術分野】
【０００１】
本発明は、建物の外面から張り出すように設けられた屋外構造物に関する。
【背景技術】
【０００２】
住宅や店舗等の建物は、バルコニーのような屋外構造物が外面から張り出した状態で設けられることがある。例えば特許文献１には、障子を開閉可能に設けた開口部装置をバルコニーの周囲に設けた構成の屋外構造物が開示されている。
【先行技術文献】
【特許文献】
【０００３】
【特許文献１】特開２０１３−２４１７５７号公報
【発明の概要】
【発明が解決しようとする課題】
【０００４】
ところで、上記のような屋外構造物では、格子材やパネル材を有する手摺部を開口部装置の屋外側に設けることで、転落防止や目隠しの機能を付加することがある。ところが、屋外構造物は、例えば建物の２階に設けられることもあるため、手摺部の設置作業の作業性が問題となる。
【０００５】
本発明は、上記従来技術の課題を考慮してなされたものであり、手摺部を容易に設置することができる屋外構造物を提供することを目的とする。
【課題を解決するための手段】
【０００６】
本発明に係る屋外構造物は、構造材と、前記構造材の上面に設けられた開口部装置と、を備え、建物の外面から張り出すように設けられた屋外構造物であって、前記開口部装置の屋外側に設けられ、上笠木と下笠木との間にフェンス材を設けた手摺部と、前記構造材に対して前記下笠木を支持したブラケットと、を備え、前記開口部装置は、前記構造材の上面に取り付けられ、その外面に孔部が形成された枠材を有し、前記ブラケットは、前記孔部に対して屋外側から挿入され、前記枠材の内側で前記構造材の上面に取り付けられた取付部と、前記孔部から屋外側へと突出し、前記下笠木が上から挿入された凹状の支持部とを有することを特徴とする。
【発明の効果】
【０００７】
本発明によれば、屋外構造物の手摺部を容易に設置することができる。
【図面の簡単な説明】
【０００８】
【図１】一実施形態に係る屋外構造物の斜視図である。
【図２】図１に示す屋外構造物の側面断面図である。
【図３Ａ】図１に示す屋外構造物の要部拡大正面図である。
【図３Ｂ】図３Ａ中のＩＩＩＢ−ＩＩＩＢ線に沿う断面図である。
【図４】手摺部の下部及びその周辺部を拡大した側面断面図である。
【図５】ブラケットの斜視図である。
【図６Ａ】ブラケットの平面図である。
【図６Ｂ】ブラケットの側面図である。
【図７】設置作業時にブラケットが仮置きされた状態を示す要部拡大側面断面図である。
【発明を実施するための形態】
【０００９】
以下、本発明に係る屋外構造物について好適な実施の形態を挙げ、添付の図面を参照しながら詳細に説明する。
【００１０】
図１に示すように、本実施形態の屋外構造物１０は、住宅や店舗等の建物の外面１１から張り出すように設置されたテラス或いはバルコニーを囲むサンルームであり、テラス囲い或いはバルコニー囲いと呼ばれるものである。屋外構造物１０は、外面１１の開口部に設置された窓や扉を通って建物内から内部空間Ｓへと出入りできる。屋外構造物１０は、さらに、開閉可能な前面窓１２を利用して内部空間Ｓから屋外へと物品等を出し入れし、或いは出入りすることができる。
【００１１】
以下、屋外から外面１１に向かって屋外構造物１０を見た方向を正面とし、正面から見て屋外構造物１０の手前側を前、奥側を後、上方を上、下方を下、左方を左、右方を右、と呼んで説明する。また各図においては、左右方向を矢印Ｘで示し、前後方向を矢印Ｙで示し、上下方向を矢印Ｚで示す。
【００１２】
図１及び図２に示すように、屋外構造物１０は、囲い部１４と、手摺部１６とを備える。
【００１３】
囲い部１４は、テラスやバルコニーを囲んで内部空間Ｓを形成した部分である。囲い部１４は、その骨格となる複数の構造材によって前面窓１２、左右の側面窓１８、屋根材２０、及び床部２２を支持している。内部空間Ｓは、屋根材２０と、前面窓１２及び側面窓１８と、床部２２とによって屋外から仕切られている。屋外構造物１０の骨格となる構造材は、左右の縦枠２４と、垂木掛け２６と、根太掛け２８と、左右の柱３０と、前枠３２と、桁３４と、左右の妻垂木３６と、左右の腕木３８と、左右の妻梁４０とを有する。これら構造材は、例えばアルミニウムやスチール等で形成された形材である。
【００１４】
前面窓１２は、左右の障子１２ａ，１２ｂをスライドさせることで開口枠４２の内側開口部を開閉可能な引違い窓の開口部装置である。前面窓１２は、片引き窓、上げ下げ窓等、他の構成の開口部装置であってもよい。本実施形態の場合、側面窓１８として開閉不能な嵌め殺し窓を例示しているが、側面窓１８についても前面窓１２のような開閉可能な構成としてもよい。
【００１５】
縦枠２４は、上下方向に沿って延在した形材である。縦枠２４は、建物の外面１１に当接配置された状態で建物の躯体にねじ止め固定されている。柱３０は、前枠３２の左右端部から垂下され、地面或いは建物の屋根等に支持された角柱状部材である。左右の柱３０は、Ｌ字ブラケット４４を介して手摺部１６の上部を支持している。桁３４は、左右方向に沿って延在した形材である。桁３４は、柱３０の下部間、妻梁４０の前端部間を連結している。桁３４は、床部２２の前端部を支持すると共に、複数のブラケット４６を介して手摺部１６の下部を支持している。妻梁４０は、前後方向に沿って延在した形材である。妻梁４０は、縦枠２４の下端部から前方に向かって突出し、床部２２の側端部を支持している。
【００１６】
手摺部１６は、転落防止や防犯のための柵状の格子ユニットであり、前面窓１２の屋外側の略下半分を覆うように設置されている。手摺部１６は、上笠木４８と、下笠木５０と、複数のフェンス材５２とを備える。
【００１７】
上笠木４８及び下笠木５０は、例えばアルミニウムやスチール等で形成された形材であり、それぞれ左右方向に沿って延在している。上笠木４８及び下笠木５０は、左右の柱３０，３０間と略同一の長さ寸法となっている。上笠木４８は、左右両端面がＬ字ブラケット４４を介して左右の柱３０の前面に固定されている。下笠木５０は、上笠木４８の下方でこれと平行に配置され、左右両端部よりも多少中央寄りの位置がそれぞれブラケット４６を介して桁３４に支持されている。
【００１８】
フェンス材５２は、例えばアルミニウムやスチール等で形成された形材であり、上下方向に沿って延在すると共に、左右方向に複数本が立設された縦格子である。各フェンス材５２は、上端部が左右方向に延在した断面略Ｈ字状の上支持枠５４で一体に支持され、下端部が左右方向に延在した断面略Ｈ字状の下支持枠５６で一体に支持されている。上支持枠５４は、上笠木４８の下面に対してねじ止め固定され、下支持枠５６は、下笠木５０の上面に対してねじ止め固定されている。これにより手摺部１６は、各フェンス材５２で上笠木４８と下笠木５０とを連結したユニット構造となっている。フェンス材５２は、横格子やパネル、網目材等で構成されてもよい。
【００１９】
次に、手摺部１６の囲い部１４に対する具体的な取付構造を説明する。上記したように、手摺部１６は、上笠木４８がＬ字ブラケット４４で柱３０に取り付けられ、下笠木５０がブラケット４６で桁３４に取り付けられている。
【００２０】
図１及び図３Ａに示すように、Ｌ字ブラケット４４は、スチールやステンレス、アルミニウム等で形成された金属板であり、側面視Ｌ字形状である。Ｌ字ブラケット４４は、柱３０の前面にねじ止め固定される柱固定部４４ａと、上笠木４８の小口端面にねじ止め固定される笠木固定部４４ｂとを有する。上笠木４８は、Ｌ字ブラケット４４を介して両端の小口端面が左右の柱３０に固定されている。このため、上笠木４８の上面には、Ｌ字ブラケット４４やその取付用のねじ等が配置されず、ここに手を置いたり、荷物をかけたりし易い構成となっている。
【００２１】
図３Ａ〜図６Ｂに示すように、ブラケット４６は、スチールやステンレス、アルミニウム等で形成された金属板であり、側面視略クランク形状である。ブラケット４６は、取付部５８と、支持部６０とを有する。
【００２２】
取付部５８は、前後方向に沿って延在した水平板であり、桁３４の上面３４ａにねじ６１を用いて固定される。取付部５８は、左右一対の取付孔５８ａ，５８ａを後端側に有し、左右一対のねじ孔５８ｂ，５８ｂを前端側に有する。各取付孔５８ａは、ねじ６１が挿通される。各ねじ孔５８ｂは、後述する連結板６２の固定用である。
【００２３】
桁３４の上面３４ａには、下地枠（枠材）６４を介して下枠４２ａが取り付けられている。下枠４２ａは、開口枠４２の下枠であり、障子１２ａ，１２ｂをスライド可能に支持するレール６６ａ，６６ｂを有する（図４参照）。下地枠６４は、桁３４と下枠４２ａとの間を連結する部材であり、捨て枠とも呼ばれる。下地枠６４は、例えばアルミニウムやスチール等で形成された形材である。下地枠６４は、桁３４の上面３４ａに締結される下板部６４ａと、下地枠６４の前面６４ｂを形成した前板部６４ｃと、下板部６４ａの後端部から上方に起立した後板部６４ｄとを有する。後板部６４ｄは、後板部６４ｄよりも上方となる位置で水平方向のねじ６５によって下枠４２ａと固定されている。後板部６４ｄは、下板部６４ａよりも上方となる位置に、ヒレ部６４ｅが設けられている。ヒレ部６４ｅは、前板部６４ｃの後方屈曲部の先端に対向するように前方へと突出している。ヒレ部６４ｅと下板部６４ａとの間には、上下方向の中間板部６４ｆが設けられている。ヒレ部６４ｅの先端（前端）は、中間板部６４ｆよりも前方に突出している。なお、図３Ｂでは下枠４２ａの図示を省略している。
【００２４】
下地枠６４の前面６４ｂには、左右両端部から多少中央寄りの位置にそれぞれ水抜き穴（孔部）６４ｇが形成されている（図４及び図５参照）。取付部５８は、この水抜き穴６４ｇに対して屋外側から挿入され、下地枠６４の内側で桁３４の上面３４ａに固定されている。なお、下地枠６４は、下板部６４ａが取付部５８と上面３４ａとの間でねじ６１によって共締めされ、これにより桁３４に固定されている。水抜き穴６４ｇは、取付部５８を挿入した状態でも十分な排水性能を確保するため、取付部５８が挿入された状態で十分な隙間を有する大きさに設定されている（図５参照）。
【００２５】
支持部６０は、側面視略Ｕ字状の凹状部６０ａを有する。具体的には、支持部６０は、取付部５８の前端から下方に屈曲して延びた後板部６０ｂと、後板部６０ｂの下端から前方へと屈曲して延びた底板部６０ｃと、底板部６０ｃの先端から上方へと屈曲して延びた前板部６０ｄとを有し、これら各板部６０ｂ〜６０ｄで凹状部６０ａを形成している。凹状部６０ａは、下笠木５０を上から挿入して保持する部分である。前板部６０ｄの高さは、後板部６０ｂよりも低く構成され、これにより下笠木５０を凹状部６０ａに挿入し易くなっている。凹状部６０ａの深さは、下笠木５０を挿入した状態で下笠木５０の上面５０ａと、取付部５８の上面５８ｃとが面一又は略面一となるように設定されている。後板部６０ｂと取付部５８との角部には、その中央部を押し潰した押し溝４６ａが形成されている。押し溝４６ａを設けたことにより、手摺部１６の荷重がかかる支持部６０と取付部５８との折曲部の強度が向上している。
【００２６】
支持部６０は、凹状部６０ａの底面６０ｅの前端部及び後端部にそれぞれ水抜き穴（ブラケット側水抜き穴）６６，６７が形成されている。水抜き穴６６は、底板部６０ｃと前板部６０ｄの角部に形成されている。水抜き穴６７は、底板部６０ｃと後板部６０ｂの角部に形成されている。水抜き穴６６，６７は、凹状部６０ａ内に浸入した雨水等を排出するためのものである。
【００２７】
ブラケット４６は、取付部５８が水抜き穴６４ｇを通して桁３４の上面３４ａに固定され、支持部６０の凹状部６０ａに下笠木５０が挿入された状態で、取付部５８の上面５８ｃと下笠木５０の上面５０ａの間が連結板６２によって連結される。これにより下笠木５０がブラケット４６に確実に固定される。連結板６２は、例えばブラケット４６と同一の左右幅寸法を有する矩形の金属板である。図４に示すように、連結板６２は、取付部５８の水抜き穴６４ｇから屋外側に突出した部分と、下笠木５０とを連結する。連結板６２は、後端側に設けられた左右の孔部にねじ６８が挿通され、各ねじ６８が取付部５８の各ねじ孔５８ｂに締結される。さらに連結板６２は、前端側に設けられた左右の孔部にねじ６９が挿通され、各ねじ６９が下笠木５０の上面５０ａに形成されたねじ孔に締結される。
【００２８】
次に、手摺部１６の設置手順の一例を説明する。なお、手摺部１６は、上笠木４８、下笠木５０及びフェンス材５２を組み付けて予めユニット化されている。
【００２９】
先ず、ブラケット４６を桁３４に取り付ける。ブラケット４６は、桁３４の上面３４ａに載置した下地枠６４の水抜き穴６４ｇに対して取付部５８を挿入し、その先端部（後端部）を中間板部６４ｆに突き当てる。そして、下地枠６４の前板部６４ｃとヒレ部６４ｅの間に形成された開口を利用してねじ６１を取り付け、取付部５８及び下板部６４ａを桁３４に共締めする。これによりブラケット４６は、支持部６０が水抜き穴６４ｇから屋外側に張り出した状態で桁３４に固定される。
【００３０】
なお、取付部５８を水抜き穴６４ｇに挿入した後、ねじ６１が締結されるまでの間は、ブラケット４６は固定されていない。このため、作業者がブラケット４６から手を離した場合、ブラケット４６が水抜き穴６４ｇから屋外側に脱落する懸念がある。この点、本実施形態の下地枠６４は、水抜き穴６４ｇに挿入された取付部５８の上方位置にヒレ部６４ｅを有する。このため、図７に示すように、仮にブラケット４６が水抜き穴６４ｇを支点として支持部６０が脱落方向に回動した場合、取付部５８がヒレ部６４ｅに当接し、それ以上の回動が規制される。その結果、ブラケット４６が水抜き穴６４ｇから脱落することが防止されており、作業性が高い。
【００３１】
次いで、下笠木５０を支持部６０の凹状部６０ａに対して上から挿入する。これにより、手摺部１６は、下笠木５０が凹状部６０ａで仮保持されるため、作業者は重量物である手摺部１６を容易に支えておくことができる。そこで、Ｌ字ブラケット４４を介して上笠木４８を柱３０に連結し、さらに連結板６２を用いてブラケット４６と下笠木５０とを連結する。以上より、手摺部１６の囲い部１４に対する取付作業が完了する。
【００３２】
以上のように、本実施形態に係る屋外構造物１０は、手摺部１６の取付用のブラケット４６が、下地枠６４の水抜き穴６４ｇに対して屋外側から挿入され、下地枠６４の内側で桁３４の上面３４ａに取り付けられた取付部５８と、水抜き穴６４ｇから屋外側へと突出し、手摺部１６の下笠木５０が上から挿入された凹状の支持部６０と有する。
【００３３】
従って、当該屋外構造物１０は、手摺部１６を設置する際、下笠木５０を支持部６０に挿入して仮保持しつつ取付作業を行うことができるため、手摺部１６の設置作業が容易である。このため、例えば屋外構造物１０が建物の２階に設置される場合でも手摺部１６を容易に設置することができる。しかもブラケット４６の取付部５８は、下地枠６４の水抜き穴６４ｇに挿入した状態で用いられる。なお、ブラケット４６は、水抜き穴６４ｇではなく、下地枠６４の前面６４ｂに形成された専用の孔部を通して設置されてもよい。但し、前面窓１２のような開口部装置を設けた構成の場合、その下部の下地枠６４には水抜き穴６４ｇが必要であるため、これを利用することが効率的である。
【００３４】
本発明に係る屋外構造物は、構造材と、前記構造材の上面に設けられた開口部装置と、を備え、建物の外面から張り出すように設けられた屋外構造物であって、前記開口部装置の屋外側に設けられ、上笠木と下笠木との間にフェンス材を設けた手摺部と、前記構造材に対して前記下笠木を支持したブラケットと、を備え、前記開口部装置は、前記構造材の上面に取り付けられ、その外面に孔部が形成された枠材を有し、前記ブラケットは、前記孔部に対して屋外側から挿入され、前記枠材の内側で前記構造材の上面に取り付けられた取付部と、前記孔部から屋外側へと突出し、前記下笠木が上から挿入された凹状の支持部とを有することを特徴とする。このような構成によれば、手摺部を設置する際、下笠木をブラケットの支持部に挿入して仮保持しつつ取付作業を行うことができるため、手摺部の設置作業が容易である。しかもブラケットの取付部は、枠材の孔部に挿入した状態で用いられる。このため、ブラケットの固定時、仮に作業者がブラケットから手を離したとしてもブラケットが孔部の縁に引っ掛かって脱落することが回避され、作業効率が一層向上する。
【００３５】
前記孔部は、水抜き穴であってもよい。そうすると、枠材の外面に別途ブラケット取付用の孔部を設けることなくブラケットを取り付けることができるため、効率的である。また、水抜き穴の一部がブラケットで塞がれることで、水抜き穴が外観上で目立つことがない。
【００３６】
前記枠材は、前記取付部の上方位置にヒレ部を有する構成としてもよい。そうすると、ブラケットの取付時に作業者がブラケットから手を離した際、取付部がヒレ部に係止され、その脱落がより確実に防止される。
【００３７】
前記支持部の底面には、ブラケット側水抜き穴が形成されていてもよい。そうすると、支持部に浸入した雨水等が外部に排水されるため、支持部に水が溜まることを防止できる。
【００３８】
前記開口部装置は、障子を開閉可能に支持した開口枠を有し、前記枠材は、前記開口枠の下枠と前記構造材の上面との間を連結する下地枠であってもよい。そうすると、下枠を直接的に構造材に固定しないため、下枠の下面にねじ止め用の貫通孔が形成されることがなく、この貫通孔からの浸水を防止しつつ、下地枠を利用してブラケットを設置することができる。
【００３９】
なお、本発明は、上記した実施形態に限定されるものではなく、本発明の主旨を逸脱しない範囲で自由に変更できることは勿論である。
【００４０】
上記では、開口枠４２の下枠４２ａを支持した下地枠６４の外面に形成された孔部（水抜き穴６４ｇ）を通してブラケット４６を構造材である桁３４に取り付けた構成を例示した。しかしながら、例えば開口部装置である前面窓１２の下枠４２ａが、下地枠６４を用いずに直接的に桁３４に取り付けられた構成等の場合、ブラケット４６はこの下枠４２ａの水抜き穴等を通して設置されればよい。
【００４１】
上記では、屋外構造物１０の前面窓１２に対面する位置に手摺部１６を設けた構成を例示した。しかしながら、手摺部１６は、側面窓１８に対面する位置に設けてもよい。この場合、ブラケット４６は、側面窓１８の下枠或いはこの下枠を支持した下地枠の外面に形成された孔部を通して妻梁４０の上面に取り付けられるとよい。
【符号の説明】
【００４２】
１０  屋外構造物、１１  外面、１２  前面窓、１４  囲い部、１６  手摺部、３４  桁、３４ａ，５０ａ，５８ｃ  上面、４２  開口枠、４２ａ  下枠、４４  Ｌ字ブラケット、４６  ブラケット、４８  上笠木、５０  下笠木、５２  フェンス材、５８  取付部、６０  支持部、６０ａ  凹状部、６０ｅ  底面、６２  連結板、６４  下地枠、６４ｂ  前面、６４ｅ  ヒレ部、６４ｇ，６６，６７  水抜き穴
【図１】
2020084570.tif 000003
【図２】
2020084570.tif 000004
【図３Ａ】
2020084570.tif 000005
【図３Ｂ】
2020084570.tif 000006
【図４】
2020084570.tif 000007
【図５】
2020084570.tif 000008
【図６Ａ】
2020084570.tif 000009
【図６Ｂ】
2020084570.tif 000010
【図７】
2020084570.tif 000011